(57)【要約】【課題】帳票に関する情報を修正する上でのユーザの利便性を向上させることが可能な、情報処理端末、情報処理システム、情報処理方法、及びプログラムを提供する。【解決手段】１以上の帳票からなる帳票束の読み取りに関する指定を行うための帳票読取画面に対する、ユーザによる、前記帳票束に共通する帳票情報の入力を受け付ける入力部と、読取装置による前記帳票束の読み取りが完了した場合に、前記帳票情報を修正するための修正用画面を表示する表示部と、前記帳票束に関する所定の処理を行う管理装置に前記帳票束に関する情報を送信するための通信装置に対して、前記修正用画面に対して入力された前記帳票情報を送信する送信部と、を備える、情報処理端末。【選択図】図３
2014137618.tif 000002
【特許請求の範囲】
【請求項１】
１以上の帳票からなる帳票束の読み取りに関する指定を行うための帳票読取画面に対する、ユーザによる、前記帳票束に共通する帳票情報の入力を受け付ける入力部と、
読取装置による前記帳票束の読み取りが完了した場合に、前記帳票情報を修正するための修正用画面を表示する表示部と、
前記帳票束に関する所定の処理を行う管理装置に前記帳票束に関する情報を送信するための通信装置に対して、前記修正用画面に対して入力された前記帳票情報を送信する送信部と、
を備える、情報処理端末。
【請求項２】
前記表示部は、前記帳票束の読み取りが完了した場合には、前記帳票読取画面に対して入力された前記帳票情報を含み、前記帳票情報の修正要否の情報を入力するための読取確認画面をさらに表示する、請求項１に記載の情報処理端末。
【請求項３】
前記送信部は、前記修正要否の情報が修正が不要であることを示す場合には、前記帳票読取画面に対して入力された前記帳票情報を前記通信装置へ送信する、請求項２に記載の情報処理端末。
【請求項４】
前記送信部は、前記読取装置から受信される、前記帳票束が読み取られた画像を前記通信装置へさらに送信する、請求項１〜３のいずれか一項に記載の情報処理端末。
【請求項５】
前記帳票情報は、前記帳票束に関する処理の委託者の委託者コードであり、
前記読取確認画面は、前記委託者コードに対応づけられた委託者名をさらに含む、請求項２〜４のいずれか一項に記載の情報処理端末。
【請求項６】
１以上の帳票からなる帳票束の読み取りに関する指定を行うための帳票読取画面に対する、ユーザによる、前記帳票束に共通する帳票情報の入力を受け付ける入力部と、
読取装置による前記帳票束の読み取りが完了した場合に、前記帳票情報を修正するための修正用画面を表示する表示部と、
前記帳票読取画面または前記修正用画面に対してユーザにより入力された前記帳票情報を前記帳票束に対応づけて記憶する記憶部と、
前記記憶部に記憶された前記帳票情報を含むエントリ画面に対してユーザにより入力される情報と、前記記憶部に記憶された前記帳票情報とを、前記帳票束に関する所定の処理を行う管理装置へ送信する送信部と、
を備える、情報処理システム。
【請求項７】
１以上の帳票からなる帳票束の読み取りに関する指定を行うための帳票読取画面に対する、ユーザによる、前記帳票束に共通する帳票情報の入力を受け付けるステップと、
読取装置による前記帳票束の読み取りが完了した場合に、前記帳票情報を修正するための修正用画面を表示するステップと、
前記帳票束に関する所定の処理を行う管理装置に前記帳票束に関する情報を送信するための通信装置に対して、前記修正用画面に対して入力された前記帳票情報を送信するステップと、
を備える、情報処理方法。
【請求項８】
コンピュータを、
１以上の帳票からなる帳票束の読み取りに関する指定を行うための帳票読取画面に対する、ユーザによる、前記帳票束に共通する帳票情報の入力を受け付ける入力部と、
読取装置による前記帳票束の読み取りが完了した場合に、前記帳票情報を修正するための修正用画面を表示する表示部と、
前記帳票束に関する所定の処理を行う管理装置に前記帳票束に関する情報を送信するための通信装置に対して、前記修正用画面に対して入力された前記帳票情報を送信する送信部、
として機能させるための、プログラム。
【発明の詳細な説明】
【技術分野】
【０００１】
本発明は、情報処理端末、情報処理システム、情報処理方法、及びプログラムに関する。
【背景技術】
【０００２】
従来、金融機関などにおいて、各種帳票を例えばスキャナで読み取ることにより、データ入力などの事務処理を効率化させることが図られている。このため、帳票を読み取り、効率的に情報処理を行うための手法が各種提案されている。
【０００３】
例えば、特許文献１では、２つの帳票の画像を２つの帳票画像に分けて切り出し、切り出した各帳票画像から業務分類コードの領域を切り出し、そして、切り出した領域から業務分類コードを認識する技術が開示されている。また、特許文献２では、帳票の画像を光学的に読み取った後、文字認識し、そして、文字認識された文字データをコード変換する技術が開示されている。
【先行技術文献】
【特許文献】
【０００４】
【特許文献１】特開２００３−１１５０３０号公報
【特許文献２】特開平８−１３７９７１号公報
【発明の概要】
【発明が解決しようとする課題】
【０００５】
しかしながら、上記の技術では、帳票に関する情報の修正する上でのユーザの利便性が低かった。例えば、１以上の帳票からなる帳票束を同時に読み取る場合には、一般的に、帳票束に共通する情報をユーザが入力することが多いので、ユーザにより情報が誤入力された場合には一括して入力情報を修正できることが望ましい。しかし、上記の技術では一括して修正することはできず、各帳票について個々に修正する必要があった。
【０００６】
そこで、本発明は、上記問題に鑑みてなされたものであり、本発明の目的とするところは、帳票に関する情報を修正する上でのユーザの利便性を向上させることが可能な、新規かつ改良された情報処理端末、情報処理システム、情報処理方法、及びプログラムを提供することにある。
【課題を解決するための手段】
【０００７】
上記課題を解決するために、本発明のある観点によれば、１以上の帳票からなる帳票束の読み取りに関する指定を行うための帳票読取画面に対する、ユーザによる、前記帳票束に共通する帳票情報の入力を受け付ける入力部と、読取装置による前記帳票束の読み取りが完了した場合に、前記帳票情報を修正するための修正用画面を表示する表示部と、前記帳票束に関する所定の処理を行う管理装置に前記帳票束に関する情報を送信するための通信装置に対して、前記修正用画面に対して入力された前記帳票情報を送信する送信部と、を備える、情報処理端末が提供される。
【０００８】
前記表示部は、前記帳票束の読み取りが完了した場合には、前記帳票読取画面に対して入力された前記帳票情報を含み、前記帳票情報の修正要否の情報を入力するための読取確認画面をさらに表示してもよい。
【０００９】
前記送信部は、前記修正要否の情報が修正が不要であることを示す場合には、前記帳票読取画面に対して入力された前記帳票情報を前記通信装置へ送信してもよい。
【００１０】
前記送信部は、前記読取装置から受信される、前記帳票束が読み取られた画像を前記通信装置へさらに送信してもよい。
【００１１】
前記帳票情報は、前記帳票束に関する処理の委託者の委託者コードであり、前記読取確認画面は、前記委託者コードに対応づけられた委託者名をさらに含んでもよい。
【００１２】
また、上記課題を解決するために、本発明の別の観点によれば、１以上の帳票からなる帳票束の読み取りに関する指定を行うための帳票読取画面に対する、ユーザによる、前記帳票束に共通する帳票情報の入力を受け付ける入力部と、読取装置による前記帳票束の読み取りが完了した場合に、前記帳票情報を修正するための修正用画面を表示する表示部と、前記帳票読取画面または前記修正用画面に対してユーザにより入力された前記帳票情報を前記帳票束に対応づけて記憶する記憶部と、前記記憶部に記憶された前記帳票情報を含むエントリ画面に対してユーザにより入力される情報と、前記記憶部に記憶された前記帳票情報とを、前記帳票束に関する所定の処理を行う管理装置へ送信する送信部と、
を備える、情報処理システムが提供される。
【００１３】
また、上記課題を解決するために、本発明の別の観点によれば、１以上の帳票からなる帳票束の読み取りに関する指定を行うための帳票読取画面に対する、ユーザによる、前記帳票束に共通する帳票情報の入力を受け付けるステップと、読取装置による前記帳票束の読み取りが完了した場合に、前記帳票情報を修正するための修正用画面を表示するステップと、前記帳票束に関する所定の処理を行う管理装置に前記帳票束に関する情報を送信するための通信装置に対して、前記修正用画面に対して入力された前記帳票情報を送信するステップと、を備える、情報処理方法が提供される。
【００１４】
また、上記課題を解決するために、本発明の別の観点によれば、コンピュータを、１以上の帳票からなる帳票束の読み取りに関する指定を行うための帳票読取画面に対する、ユーザによる、前記帳票束に共通する帳票情報の入力を受け付ける入力部と、読取装置による前記帳票束の読み取りが完了した場合に、前記帳票情報を修正するための修正用画面を表示する表示部と、前記帳票束に関する所定の処理を行う管理装置に前記帳票束に関する情報を送信するための通信装置に対して、前記修正用画面に対して入力された前記帳票情報を送信する送信部、として機能させるための、プログラムが提供される。
【発明の効果】
【００１５】
以上説明したように本発明によれば、帳票に関する情報を修正する上でのユーザの利便性を向上させることができる。
【図面の簡単な説明】
【００１６】
【図１】本発明の実施形態による情報処理システムの構成を示した説明図である。
【図２】同実施形態による情報処理端末のハードウェア構成を示した説明図である。
【図３】同実施形態による情報処理端末の構成を示した機能ブロック図である。
【図４】同実施形態によるイメージエントリサーバの構成を示した機能ブロック図である。
【図５】同実施形態による帳票ＤＢの構成の一例を示した説明図である。
【図６】同実施形態による委託者コードＤＢの構成の一例を示した説明図である。
【図７】同実施形態による全体の処理の流れを示したシーケンス図である。
【図８】同実施形態によるエントリ画面の構成の一例を示した説明図である。
【図９】本発明の比較例による帳票束の読取処理の動作を示したシーケンス図である。
【図１０】同実施形態による帳票読取画面の構成の一例を示した説明図である。
【図１１】同実施形態による帳票束の読取処理の動作を示したシーケンス図である。
【図１２】同実施形態による読取確認画面の構成の一例を示した説明図である。
【図１３】同実施形態による修正用画面の表示処理の動作を示したフローチャートである。
【図１４】同実施形態による修正用画面の構成の一例を示した説明図である。
【発明を実施するための形態】
【００１７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１８】
また、本明細書及び図面において、実質的に同一の機能構成を有する複数の構成要素を、同一の符号の後に異なるアルファベットを付して区別する場合もある。例えば、実質的に同一の機能構成を有する複数の構成を、必要に応じてエントリ端末４０ａ、およびエントリ端末４０ｂのように区別する。ただし、実質的に同一の機能構成を有する複数の構成要素の各々を特に区別する必要がない場合、同一符号のみを付する。例えば、エントリ端末４０ａ、およびエントリ端末４０ｂを特に区別する必要が無い場合には、単にエントリ端末４０と称する。
【００１９】
また、以下に示す項目順序に従って当該「発明を実施するための形態」を説明する。
１．情報処理システムの基本構成
２．実施形態の詳細な説明
２−１．構成
２−１−１．情報処理端末１０の構成
２−１−２．イメージエントリサーバ３０の構成
２−２．動作
２−２−１．全体の処理の流れ
２−２−２．本発明の比較例による読取処理
２−２−３．本実施形態による読取処理
２−３．効果
３．変形例
【００２０】
＜１．情報処理システムの基本構成＞
本発明は、一例として「２．実施形態の詳細な説明」において詳細に説明するように、多様な形態で実施され得る。以下では、まず、本発明の実施形態による情報処理システムの基本構成について、図１を参照して説明する。なお、本明細書では以後、例えば、通信事業者など、口座振替などの処理を委託する者から記入済みの帳票の束を金融機関が受け取り、一括して事務処理する場面に、当該情報処理システムが適用される例を中心として説明する。
【００２１】
図１に示したように、本発明の実施形態による情報処理システムは、情報処理端末１０、専用網１２、読取装置２０、イメージエントリサーバ３０（通信装置）、エントリ端末４０、およびホストコンピュータ５０（管理装置）を含む。
【００２２】
なお、図１では、例えば情報処理端末１０、読取装置２０、またはイメージエントリサーバ３０が一台ずつ設置される例を記載しているが、かかる例に限定されず、それぞれ複数台設置されてもよい。
【００２３】
‐情報処理端末１０‐
情報処理端末１０は、専用網１２に接続され、例えば金融機関の担当者（以下、ユーザとも称する）により、帳票束の読み取りを読取装置２０に指示するために利用される端末である。
【００２４】
また、情報処理端末１０は、例えば図２に示すようなハードウェア構成を有する。図２に示したように、情報処理端末１０は、ＣＰＵ（Ｃｅｎｔｒａｌ  Ｐｒｏｃｅｓｓｉｎｇ  Ｕｎｉｔ）１５０、ＲＯＭ（Ｒｅａｄ  Ｏｎｌｙ  Ｍｅｍｏｒｙ）１５２、ＲＡＭ（Ｒａｎｄｏｍ  Ａｃｃｅｓｓ  Ｍｅｍｏｒｙ）１５４、内部バス１５６、入出力インターフェース１５８、入力装置１６０、表示装置１６２、ＨＤＤ（Ｈａｒｄ  Ｄｉｓｋ  Ｄｒｉｖｅ）１６４、およびネットワークインターフェース１６６を備える。
【００２５】
ＣＰＵ１５０は、例えば、後述する制御部１００、および読取装置制御部１０２の一例として構成される。このＣＰＵ１５０は、演算処理装置および制御装置として機能し、各種プログラムに従って情報処理端末１０内の動作全般を制御する。このＣＰＵ１５０は、マイクロプロセッサであってもよい。
【００２６】
ＲＯＭ１５２は、ＣＰＵ１５０が使用するプログラムや演算パラメータ等を記憶する。また、ＲＡＭ１５４は、ＣＰＵ１５０の実行において使用するプログラムや、その実行において適宜変化するパラメータ等を一時記憶する。ＣＰＵ１５０、ＲＯＭ１５２、およびＲＡＭ１５４は、ＣＰＵバスなどから構成される内部バス１５６により相互に接続されている。
【００２７】
入出力インターフェース１５８は、ＨＤＤ１６４、およびネットワークインターフェース１６６を、内部バス１５６と接続する。例えばＨＤＤ１６４は、この入出力インターフェース１５８および内部バス１５６を介して、ＲＡＭ１５４などとの間でデータをやり取りする。
【００２８】
入力装置１６０は、例えばキーボード、マウスなどユーザが情報を入力するための入力手段と、ユーザによる入力に基づいて入力信号を生成し、ＣＰＵ１５０に出力する入力制御回路などから構成される。この入力装置１６０は、後述する入力部１０４の一例として構成される。情報処理端末１０のユーザは、この入力装置１６０を操作することにより、情報処理端末１０に対して各種のデータを入力したり処理動作を指示したりすることができる。
【００２９】
表示装置１６２は、例えば液晶ディスプレイ（ＬＣＤ：Ｌｉｑｕｉｄ  Ｃｒｙｓｔａｌ  Ｄｉｓｐｌａｙ）装置、またはＯＬＥＤ（Ｏｒｇａｎｉｃ  Ｌｉｇｈｔ  Ｅｍｉｔｔｉｎｇ  Ｄｉｏｄｅ）装置など、映像を表示するための装置である。この表示装置１６２は、後述する表示部１０６の一例として構成される。
【００３０】
ＨＤＤ１６４は、例えば、後述する記憶部１１０の一例として構成されたデータ格納用の装置である。ＨＤＤ１６４は、記憶媒体、記憶媒体にデータを記録する記録装置、記憶媒体からデータを読み出す読出し装置および記憶媒体に記録されたデータを削除する削除装置などを含んでもよい。このＨＤＤ１６４は、ＣＰＵ１５０が実行するプログラムや各種データを格納する。
【００３１】
ネットワークインターフェース１６６は、例えば専用網１２に接続するための通信デバイス等で構成された通信インターフェースであり、後述する通信部１０８の一例として構成される。また、ネットワークインターフェース１６６は、無線ＬＡＮ対応通信装置、ＬＴＥ（Ｌｏｎｇ  Ｔｅｒｍ  Ｅｖｏｌｕｔｉｏｎ）対応通信装置、または有線による通信を行うワイヤー通信装置であってもよい。
【００３２】
‐専用網１２‐
専用網１２は、図１に示した各装置の間で送受信される情報の伝送路であり、例えばＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）により構成される。例えば情報処理端末１０は、この専用網１２を介してイメージエントリサーバ３０と通信することができる。
【００３３】
‐読取装置２０‐
読取装置２０は、帳票などの書類を光学的に読み取り、デジタル静止画像として記録するための装置である。この読取装置２０は、読取装置２０に配置された帳票に光を当て、その反射光を撮像素子で電気信号に変換することにより、帳票をデジタル静止画像として記録する。また、読取装置２０は、予め複数の帳票が配置された場合には、複数の帳票を逐次読み取ることができる。なお、この読取装置２０は、例えば帳票を集配するための集配センタに設置されてもよい。また、読取装置２０は、ＯＣＲ（Ｏｐｔｉｃａｌ  Ｃｈａｒｃｔｅｒ  Ｒｅｃｏｇｎｉｔｉｏｎ）機能を有することにより、読み取った帳票から文字を識別することも可能である。
【００３４】
‐イメージエントリサーバ３０‐
イメージエントリサーバ３０は、例えば読取装置２０により読み取られた帳票の画像を記憶する装置である。また、イメージエントリサーバ３０は、後述するエントリ端末４０からの指示により、例えばエントリ端末４０に対して入力された情報を専用網１２を介してホストコンピュータ５０へ送信する。なお、イメージエントリサーバ３０は、上述した情報処理端末１０と同様のハードウェア構成を有してもよい。
【００３５】
‐エントリ端末４０‐
エントリ端末４０は、例えば金融機関に勤務するオペレータにより、エントリ処理またはベリファイ処理を行うために利用される端末である。なお、エントリ端末４０は、上述した情報処理端末１０と同様のハードウェア構成を有してもよい。
【００３６】
ここで、エントリ処理は、例えば、エントリ端末４０ａに表示される、読み取られた帳票の画像をオペレータ（以下、第１のオペレータとも称する）が参照して、この帳票に関する所定の情報をエントリ端末４０ａに対して入力する処理である。そして、エントリ端末４０ａは、第１のオペレータにより入力された情報（以下、エントリ情報とも称する）をイメージエントリサーバ３０へ送信し、記憶させる。なお、読取装置２０がＯＣＲ機能を有する場合には、エントリ処理は、ＯＣＲにより読み取られた帳票の情報から第１のオペレータが誤読／不読文字を修正したり、帳票記入不備を修正する作業であってもよい。また、第１のオペレータは、情報処理端末１０を操作するユーザと同じ人物であってもよいし、別の人物であってもよい。
【００３７】
また、ベリファイ処理は、例えば、エントリ処理がなされた帳票に対して、第１のオペレータとは異なるオペレータ（以下、第２のオペレータとも称する）がエントリ端末４０ｂを操作して、エントリ処理と同様の入力を行った後、入力情報をマッチングすることにより、エントリ情報に誤りがないかを検証する処理である。なお、エントリ情報に誤りがないことが検証された場合には、第２のオペレータはエントリ端末４０ｂを操作して、エントリ情報をイメージエントリサーバ３０にホストコンピュータ５０へ送信させる。なお、第２のオペレータは、情報処理端末１０を操作するユーザと同じ人物であってもよいし、別の人物であってもよい。
【００３８】
‐ホストコンピュータ５０‐
ホストコンピュータ５０は、イメージエントリサーバ３０から受信される、例えばエントリ情報などの帳票に関する情報に基づいて、例えばホストコンピュータ５０が有する顧客情報データベースに対して顧客情報の新規登録や修正などの所定の処理を行うための装置である。また、ホストコンピュータ５０は、例えば預金管理や、口座管理等を行う、勘定系のホストコンピュータであってもよい。
【００３９】
＜２．実施形態の詳細な説明＞
［２−１．構成］
（２−１−１．情報処理端末１０の構成）
以上、本発明の実施形態による情報処理システムの基本構成について説明した。続いて、本発明の実施形態による構成について詳細に説明する。
【００４０】
図３は、本発明の実施形態による情報処理端末１０の構成を示した機能ブロック図である。図３に示したように、情報処理端末１０は、制御部１００、入力部１０４、表示部１０６、通信部１０８、および記憶部１１０を有する。また、制御部１００は、読取装置制御部１０２を有する。
【００４１】
制御部１００は、情報処理端末１０に内蔵されるＣＰＵ１５０、ＲＡＭ１５４などのハードウェアを用いて、情報処理端末１０の動作を全般的に制御する機能を有する。例えば、制御部１００は、入力部１０４、表示部１０６、通信部１０８、および記憶部１１０の動作を制御する。
【００４２】
読取装置制御部１０２は、帳票束の読み取りなどの指示を通信部１０８を介して読取装置２０に与える。
【００４３】
入力部１０４は、例えば、後述する表示部１０６に表示される帳票読取画面に対する、ユーザによる帳票情報の入力などの各種操作を受け付ける。ここで、帳票情報は、帳票束に含まれる１以上の帳票で共通する情報である。例えば、帳票情報は、通信事業者や電力会社のような、口座振替などの処理を金融機関に委託する者に対して設定される委託者コードであってもよいし、後述する図５における受付区分３０６６であってもよいし、その他のコードであってもよい。
【００４４】
表示部１０６は、例えばＷｅｂブラウザなどを用いて各種画面を表示する。例えば、表示部１０６は、帳票束の読み取りに関する指定を行うための帳票読取画面を表示する。また、表示部１０６は、読取装置２０による帳票束の読み取りが完了した場合には、帳票情報を修正するための修正用画面を表示する。また、表示部１０６は、帳票束の読み取りが完了した場合には、帳票読取画面に対して入力された帳票情報を含み、帳票情報の修正要否の情報を入力するための読取確認画面を表示することができる。なお、帳票情報の修正要否の情報とは、例えば帳票読取画面に対して入力された帳票情報など、入力された帳票情報の修正が必要であるか否かを示す情報である。
【００４５】
通信部１０８は、専用網１２に接続されている装置との間で各種情報を送受信する。例えば、通信部１０８は、修正用画面に対して入力された帳票情報をイメージエントリサーバ３０に送信する。また、通信部１０８は、上記の修正要否の情報が修正が不要であることを示す場合には、帳票読取画面に対して入力された帳票情報をイメージエントリサーバ３０へ送信する。また、通信部１０８は、帳票束が読み取られた画像を読取装置２０から受信し、そして、イメージエントリサーバ３０へ送信する。
【００４６】
記憶部１１０は、例えば各種画面を表示するためのソフトウェアなどの各種ソフトウェアや、様々なデータを記憶する。
【００４７】
なお、本発明の実施形態によれば、情報処理端末１０に内蔵されるＣＰＵ１５０、ＲＯＭ１５２、およびＲＡＭ１５４などのハードウェアを、上述した情報処理端末１０の各構成と同等の機能を発揮させるためのコンピュータプログラムも提供可能である。また、該コンピュータプログラムを記憶させた記憶媒体も提供される。
【００４８】
以上、本発明の実施形態による情報処理端末１０の構成について説明したが、上述した構成に限定されない。例えば、読取装置制御部１０２は情報処理端末１０に含まれず、他の装置に備えられてもよい。
【００４９】
（２−１−２．イメージエントリサーバ３０の構成）
図４は、本発明の実施形態によるイメージエントリサーバ３０の構成を示した機能ブロック図である。図４に示したように、イメージエントリサーバ３０は、制御部３００、通信部３０２（送信部）、および記憶部３０４を有する。
【００５０】
制御部３００は、イメージエントリサーバ３０に内蔵されるＣＰＵ、ＲＡＭなどのハードウェアを用いて、イメージエントリサーバ３０の動作を全般的に制御する機能を有する。例えば、制御部３００は、通信部３０２、および記憶部３０４の動作を制御する。
【００５１】
通信部３０２は、専用網１２に接続されている装置との間で各種情報を送受信する。例えば、通信部３０２は、帳票情報や、帳票が読み取られた画像を情報処理端末１０から受信する。また、通信部３０２は、エントリ端末４０から、エントリ画面に対してユーザにより入力された情報を受信する。また、通信部３０２は、エントリ画面に対する入力情報と、後述する帳票ＤＢ３０６（記憶部）に記憶された帳票情報とを、例えばエントリ端末４０からの指示によりホストコンピュータ５０へ送信する。
【００５２】
記憶部３０４は、図４に示したように、帳票ＤＢ３０６、および委託者コードＤＢ３０８を記憶する。また、記憶部３０４は、例えばイメージエントリサーバ３０の動作を全般的に制御するためのソフトウェアなどの各種ソフトウェアを記憶する。
【００５３】
帳票ＤＢ３０６は、情報処理端末１０から受信される帳票情報が帳票束に対応づけて記録されるデータベースである。ここで、図５を参照して、帳票ＤＢ３０６の構成の一例について説明する。図５に示したように、帳票ＤＢ３０６では、例えば、ＩＤ３０６０と、処理日３０６２と、受付日３０６４と、受付区分３０６６と、委託者コード３０６８と、読み取り画像３０７０と、が対応づけて記録される。ここで、ＩＤ３０６０は、一枚ごとの帳票に対して例えば読取装置２０により一意に付与された識別子である。また、処理日３０６２は、読取装置２０により帳票が読み取られた日付である。また、受付日３０６４は、例えば金融機関の集配センタや窓口などにおいて帳票が受け付けられた日である。また、受付区分３０６６は、例えば金融機関により帳票が受け付けられた態様を区別するための情報である。例えば、受付区分３０６６には、集配センタにより受け付けられた帳票には「１」、金融機関の窓口により受け付けられた帳票には「２」、新たに撮影だけが行われた帳票（帳票の読み取りはすでに終了している）には「３」のように、値が設定されてもよい。
【００５４】
例えば、図５の１レコード目に対応する帳票は、ＩＤが「１０００１」であり、処理日が「２０１２／１２／０１」であり、受付日が「２０１２／１２／０１」であり、受付区分が「１」（つまり、センタで受付された）であり、委託者コードが「１１１１１」であることを示している。
【００５５】
委託者コードＤＢ３０８は、例えば金融機関の管理者により、委託者コードと、委託者名とが対応づけて記録されるデータベースである。例えば、図６に示したように、委託者コードＤＢ３０８では、委託者コード３０８０と、委託者名３０８２と、が対応づけて記録される。例えば、図６の１レコード目に示したデータは、委託者コードが「１１１１１」であり、委託者名が「●●携帯電話会社」であることを示している。
【００５６】
記憶部３０４に委託者コードＤＢ３０８が記憶されることの効果として、情報処理端末１０は、委託者コードに対応する委託者名を委託者コードＤＢ３０８から取得することにより、例えば図１２に示した読取確認画面６４を表示する場合に、委託者コードと委託者名とを対応付けて表示することが可能になる点が挙げられる。このため、情報処理端末１０を操作するユーザは、委託者コードだけでなく、委託者名も同時に確認することができるので、委託者コードの誤りの有無を精度高く、かつ容易に確認を行うことができる。
【００５７】
以上、本発明の実施形態によるイメージエントリサーバ３０の構成について説明したが、上述した構成に限定されない。例えば、帳票ＤＢ３０６、および委託者コードＤＢ３０８のうちいずれか一つ以上は、他の装置に備えられてもよい。
【００５８】
［２−２．動作］
（２−２−１．全体の処理の流れ）
以上、本発明の実施形態による構成について説明した。続いて、本発明の実施形態による動作について説明する。最初に、全体の処理の流れを、図７を参照して説明する。
【００５９】
図７に示したように、まず、情報処理端末１０は、後述する、帳票束の読取処理を行う（Ｓ１０１）。
【００６０】
続いて、情報処理端末１０の通信部１０８は、Ｓ１０１において、ユーザにより入力された例えば委託者コードのような帳票情報と、読取装置２０により読み取られた帳票の画像と、をイメージエントリサーバ３０へ送信する（Ｓ１０２）。
【００６１】
続いて、イメージエントリサーバ３０の制御部３００は、情報処理端末１０から受信された、帳票情報と、読み取られた帳票の画像と、を対応づけて帳票ＤＢ３０６に記録する（Ｓ１０３）。
【００６２】
続いて、エントリ端末４０ａは、第１のオペレータの操作により、読み取られた帳票の画像のうち、後述するエントリ処理が実施されていない画像と、この帳票に対応づけて記録された帳票情報と、をイメージエントリサーバ３０から読み出す（Ｓ１０４）。
【００６３】
続いて、エントリ端末４０ａは、Ｓ１０４で読み出された帳票の画像に関するエントリ画面を表示する。そして、第１のオペレータは、このエントリ画面に対してエントリ処理を行う（Ｓ１０５）。
【００６４】
ここで、図８を参照して、エントリ画面の構成の一例（エントリ画面６０）について説明する。図８に示したように、エントリ画面６０は、例えば、読み取り画像表示欄６００、委託者コード表示欄６０２、区分入力欄６０４、支店入力欄６０６、科目入力欄６０８、口座番号入力欄６１０、送信ボタン６１２、およびキャンセルボタン６１４を含む。なお、読み取り画像表示欄６００、および委託者コード表示欄６０２には、それぞれＳ１０４でイメージエントリサーバ３０から受信された、帳票の画像、および委託者コードが表示される。なお、変形例として、委託者コード表示欄６０２は、表示されている委託者コードを第１のオペレータが修正可能なように設計されてもよい。
【００６５】
また、区分入力欄６０４、支店入力欄６０６、科目入力欄６０８、および口座番号入力欄６１０には、第１のオペレータにより、読み取り画像表示欄６００に表示される帳票の画像を参照して、それぞれ該当する情報が入力される。また、送信ボタン６１２は、エントリ情報、すなわち、区分入力欄６０４、支店入力欄６０６、科目入力欄６０８、および口座番号入力欄６１０に対する入力情報を第１のオペレータが確定するためのボタンである。また、キャンセルボタン６１４は、エントリ画面６０に対する入力を第１のオペレータが取り消すためのボタンである。
【００６６】
続いて、エントリ端末４０ａは、第１のオペレータにより入力されたエントリ情報をイメージエントリサーバ３０へ送信する。そして、イメージエントリサーバ３０の制御部３００は、受信された、エントリ情報と、このエントリ情報に対応する帳票と、を対応づけて帳票ＤＢ３０６に記録する（Ｓ１０６）
【００６７】
続いて、エントリ端末４０ｂは、第２のオペレータの操作により、読み取られた帳票の画像のうち、エントリ処理が実施済みの画像と、この帳票に対応づけて記録された委託者コードと、をイメージエントリサーバ３０から読み出す（Ｓ１０７）。
【００６８】
続いて、エントリ端末４０ｂは、Ｓ１０７で読み出した帳票の画像に関するエントリ画面を表示する。そして、第２のオペレータは、このエントリ画面に対してベリファイ処理を行う（Ｓ１０８）。
【００６９】
続いて、エントリ情報に誤りがないことがベリファイ処理により検証された場合には、第２のオペレータは、エントリ端末４０ｂを操作して、エントリ情報をホストコンピュータ５０へ送信するように、イメージエントリサーバ３０に指示を与える（Ｓ１０９）。
【００７０】
続いて、イメージエントリサーバ３０は、エントリ端末４０ｂから受信された指示に対応する、エントリ情報と、帳票情報と、をホストコンピュータ５０へ送信する（Ｓ１１０）。
【００７１】
（２−２−２．本発明の比較例による読取処理）
以上、全体の処理の流れについて説明した。続いて、Ｓ１０１における帳票束の読取処理の内容について詳細に説明する。
【００７２】
ここで、本発明の特徴を明確に示すために、まず、本発明の比較例による読取処理について説明し、その後、本実施形態による読取処理について説明する。なお、後述するように、本発明の比較例では、情報処理端末１０を操作するユーザは、読み取り前に入力された帳票情報を、帳票束が読み取られた後に一括して修正することができない。一方、本実施形態による読取処理では、情報処理端末１０を操作するユーザは、読み取り前に入力された帳票情報を、帳票束が読み取られた後に一括して修正することが可能である。
【００７３】
図９は、本発明の比較例による読取処理の動作を示したシーケンス図である。図９に示したように、まず、情報処理端末１０の表示部１０６は、帳票読取画面を表示する（Ｓ２０１）。
【００７４】
ここで、図１０を参照して、帳票読取画面の構成の一例（帳票読取画面６２）について説明する。図１０に示したように、帳票読取画面６２は、例えば、処理日入力欄６２０、受付日入力欄６２２、受付区分入力欄６２４、委託者コード入力欄６２６、帳票総枚数入力欄６２８、帳票処理枚数表示欄６３０、処理残枚数表示欄６３２、および、読取開始ボタン６３４を含む。なお、処理日入力欄６２０、受付日入力欄６２２、受付区分入力欄６２４、および委託者コード入力欄６２６は、それぞれ図５に示した帳票ＤＢ３０６における処理日３０６２、受付日３０６４、受付区分３０６６、および委託者コード３０６８に対応する項目である。また、これらの入力欄には原則としてユーザにより情報が入力されるが、例えば処理日入力欄６２０には作業当日が設定されるなど、情報処理端末１０により予め初期値が設定されてもよい。
【００７５】
また、帳票総枚数入力欄６２８には、読取装置２０に配置する読み取り対象の帳票の枚数を入力する。また、帳票処理枚数表示欄６３０には、読取装置２０に配置された帳票のうち、読取装置２０により読み取られた帳票の枚数が表示される。また、処理残枚数表示欄６３２には、読取装置２０に配置された帳票のうち、読取装置２０により未だ読み取られていない帳票の枚数が表示される。また、読取開始ボタン６３４は、読取装置２０に配置された帳票の読み取りを開始するように、読取装置２０に対してユーザが指示を与えるためのボタンである。
【００７６】
例えば、図１０では、処理日入力欄６２０に「２０１２１２０１」、受付日入力欄６２２に「２０１２１２０１」、受付区分入力欄６２４に「１」（つまり、「センタ受付」）、委託者コード入力欄６２６に「１１１１１」がそれぞれ入力された例を示している。また、読み取り対象の帳票の枚数が「１００枚」であり、読取装置２０により読み取られた帳票の枚数が「０枚」であり、読取装置２０により未だ読み取られていない帳票の枚数が「１００枚」であることを示している。
【００７７】
続いて、ユーザは、読取装置２０に、読み取り対象の帳票束を配置する（Ｓ２０２）。
【００７８】
続いて、情報処理端末１０の入力部１０４は、Ｓ２０１で表示された帳票読取画面に対する、ユーザによる帳票情報の入力を受け付ける（Ｓ２０３）。例えば、図１０に示した帳票読取画面６２の例では、入力部１０４は、ユーザによる委託者コード入力欄６２６に対する委託者コードの入力を受け付ける。
【００７９】
続いて、読取装置制御部１０２は、帳票束の読み取りの指示を通信部１０８に読取装置２０へ送信させる。例えば、図１０に示した帳票読取画面６２の例では、読取装置制御部１０２は、ユーザにより読取開始ボタン６３４が選択された場合には、帳票束の読み取り開始の指示を通信部１０８に読取装置２０へ送信させる。
【００８０】
続いて、読取装置２０は、読取装置２０に配置されている帳票束を読み取る（Ｓ２０５）。そして、読み取りが完了した場合には、読取装置２０は、読み取った帳票束の画像を情報処理端末１０へ送信し（Ｓ２０６）、読取処理を終了する。なお、上述したように、Ｓ２０６の後は、情報処理端末１０は、図７に示したＳ１０２の動作を行う。つまり、情報処理端末１０は、帳票読取画面に対して入力された帳票情報と、読み取られた帳票の画像と、をイメージエントリサーバ３０へ送信する。
【００８１】
‐課題の整理‐
上述したように、本発明の比較例では、情報処理端末１０は、帳票束の読み取りが完了した場合には、帳票読取画面に対して入力された委託者コードなどの帳票情報をイメージエントリサーバ３０へ送信し、記憶させる。このため、情報処理端末１０を操作するユーザは、入力された帳票情報を、帳票束が読み取られた後に修正することができない。そして、帳票情報を修正するためには、エントリ処理において第１のオペレータが帳票情報を修正する必要があるが、帳票１枚ごとに修正しなければならない。従って、帳票情報を修正する上でのユーザの利便性が低い。
【００８２】
そこで、上記事情を一着眼点にして本実施形態による読取処理を着想するに至った。本実施形態による読取処理では、帳票読取画面に対して入力された帳票情報を、情報処理端末１０を操作するユーザは、帳票束が読み取られた後に一括して修正することが可能である。以下、このような本実施形態による読取処理について詳細に説明する。
【００８３】
（２−２−３．本実施形態による読取処理）
図１１は、本実施形態による読取処理の動作を示したシーケンス図である。なお、図１１におけるＳ３０１〜Ｓ３０６の動作は、本発明の比較例によるＳ２０１〜Ｓ２０６の動作と同様である。また、Ｓ３０１で表示される帳票読取画面の構成についても、例えば図１０に示した帳票読取画面６２のような、Ｓ２０１で表示される帳票読取画面と同様である。
【００８４】
Ｓ３０６の後、情報処理端末１０の表示部１０６は、帳票情報の修正要否の情報を入力するための読取確認画面を表示する（Ｓ３０７）。
【００８５】
ここで、図１２を参照して、読取確認画面の構成の一例（読取確認画面６４）について説明する。図１２に示したように、読取確認画面６４は、例えば、読取枚数表示欄６４０、委託者表示欄６４２、確認ボタン６４４、および修正ボタン６４６を含む。なお、読取枚数表示欄６４０には、Ｓ３０５において読み取られた帳票の枚数が表示される。また、委託者表示欄６４２には、帳票読取画面に対して入力された委託者コード、および委託者コードに対応する委託者名が表示される。このため、読取確認画面６４を参照するユーザは、委託者コードだけでなく、委託者名も同時に参照することができる。なお、委託者名は、原則として、情報処理端末１０によりイメージエントリサーバ３０（の帳票ＤＢ３０６）から取得されるが、情報処理端末１０の記憶部１１０から取得されてもよい。また、確認ボタン６４４は、読取確認画面６４に表示された委託者コードを確定するためのボタン、つまり、委託者コードの修正が不要であることをユーザが入力するためのボタンである。また、修正ボタン６４６は、読取確認画面６４に表示された委託者コードを修正するためのボタンである。この修正ボタン６４６が選択されると、表示部１０６は、例えば図１４に示したような修正用画面６６を表示する。
【００８６】
例えば、図１２では、読み取られた帳票の枚数が「１００枚」であり、帳票読取画面に対して入力された委託者コードが「１１１１１」であり、委託者コードに対応する委託者名が「●●携帯電話会社」であることを示している。
【００８７】
なお、例えば、読み取られた画像からＯＣＲにより認識された委託者名と、帳票読取画面に対して入力された委託者コードに対応する委託者名とが異なる場合には、入力された委託者コードが誤っている恐れがある。このため、表示部１０６は、読取確認画面６４において、委託者コードを注意深く確認するようにユーザに促すための警告メッセージをさらに表示してもよい。
【００８８】
続いて、入力部１０４は、読取確認画面において、ユーザによる修正要否の情報の入力を受け付ける（Ｓ３０８）。例えば、図１２に示した例では、入力部１０４は、修正ボタン６４６が選択されることにより、帳票情報の修正が必要であることの入力を受け付け、また、確認ボタン６４４が選択されることにより、帳票情報の修正が不要であることの入力を受け付ける。
【００８９】
続いて、情報処理端末１０は、修正用画面の表示処理を行う（Ｓ３０９）。ここで、図１３を参照して、Ｓ３０９における修正用画面の表示処理の動作を詳細に説明する。
【００９０】
図１３に示したように、まず、制御部１００は、修正要否の情報が修正が必要であることを示すか否かを判定する（Ｓ３２１）。
【００９１】
修正要否の情報が修正が不要であることを示す場合には（Ｓ３２１：Ｎｏ）、情報処理端末１０は、修正用画面の表示処理を終了する。
【００９２】
一方、修正要否の情報が修正が必要であることを示す場合には（Ｓ３２１：Ｙｅｓ）、表示部１０６は、修正用画面を表示する（Ｓ３２２）。続いて、入力部１０４は、修正用画面において、帳票情報の入力を受け付ける。そして、通信部１０８は、修正用画面において入力された帳票情報をイメージエントリサーバ３０へ送信する（Ｓ３２３）。
【００９３】
ここで、図１４を参照して、修正用画面の構成の一例（修正用画面６６）について説明する。図１４に示したように、修正用画面６６は、例えば、読取枚数表示欄６６０、修正前委託者表示欄６６２、委託者コード入力欄６６４、送信ボタン６６６、およびキャンセルボタン６６８を含む。なお、読取枚数表示欄６６０には、読取確認画面６４における読取枚数表示欄６４０と同様に、読み取られた帳票の枚数が表示される。また、修正前委託者表示欄６６２には、委託者コードが修正される前の委託者コードおよび委託者名、つまり、読取確認画面６４における委託者表示欄６４２に表示された委託者コードおよび委託者名が表示される。また、委託者コード入力欄６６４には、修正前委託者表示欄６６２に表示された委託者コード、つまり、帳票読取画面に対してユーザにより入力された委託者コードを修正するための入力欄である。また、送信ボタン６６６は、委託者コード入力欄６６４に入力された委託者コードをイメージエントリサーバ３０へ通信部１０８に送信させるためのボタンである。また、キャンセルボタン６６８は、修正用画面６６（より具体的には、委託者コード入力欄６６４）に対する入力をユーザが取り消すためのボタンである。
【００９４】
なお、上述した本実施形態による読取処理において、読取確認画面の確認（Ｓ３０８）と、修正用画面に対する入力（Ｓ３０９）とは、同じ人物が行ってもよいし、異なってもよい。
【００９５】
［２−３．効果］
以上、例えば図７、図１１、図１３等を参照して説明したように、本発明の実施形態による情報処理端末１０は、帳票束の読み取りに関する指定を行うための帳票読取画面に対する、ユーザによる、帳票束に共通する帳票情報の入力を受け付ける。そして、情報処理端末１０は、読取装置２０による帳票束の読み取りが完了した場合に、帳票情報を修正するための修正用画面を表示する。そして、情報処理端末１０は、イメージエントリサーバ３０に対して、修正用画面に対して入力された帳票情報を送信する。
【００９６】
このため、例えば帳票読取画面に対して入力された帳票情報が誤っていた場合など、情報処理端末１０を操作するユーザは、帳票束が読み取られた後に帳票情報を一括して修正することができるので、帳票情報を修正する上でのユーザの利便性が高い。また、本発明の比較例と比べると、例えばエントリ処理において個々の帳票に関して帳票情報を修正する必要がないので、修正漏れや修正ミスが発生することを防止することができ、かつ、エントリ作業を効率化することが可能である。
【００９７】
また、情報処理端末１０は、帳票束の読み取りが完了した場合には、帳票読取画面に対して入力された帳票情報を含み、帳票情報の修正要否の情報を入力するための読取確認画面を表示する。このため、ユーザは、帳票情報がイメージエントリサーバ３０へ送信される前に、帳票読取画面に対して入力された帳票情報が誤っているか否かを確認することができる。従って、例えば本発明の比較例と比較して、ユーザによる帳票情報の誤入力を大きく減少させることができる。
【００９８】
また、情報処理端末１０は、読取確認画面において、委託者コードと、委託者コードに対応する委託者名とを一緒に表示する。このため、情報処理端末１０を操作するユーザは、読取確認画面において委託者コードだけでなく、委託者名も同時に確認することができるので、委託者コードの誤りの有無を精度高く、かつ容易に確認を行うことができる。
【００９９】
＜３．変形例＞
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１００】
例えば、上記の実施形態では、Ｓ３０７において、情報処理端末１０は読取確認画面を表示する例について説明したが、変形例として、情報処理端末１０は、読取確認画面を表示する代わりに、修正用画面を表示してもよい。そして、情報処理端末１０は、帳票情報の修正をユーザが希望する場合にのみ、修正用画面に対してユーザに帳票情報を入力させてもよい。この変形例によれば、読取確認画面における修正要否の情報の入力が不要になるので、帳票情報を修正する際のユーザの負荷がより軽減されるという効果がある。
【符号の説明】
【０１０１】
１０  情報処理端末
１２  専用網
２０  読取装置
３０  イメージエントリサーバ
４０  エントリ端末
５０  ホストコンピュータ
１００  制御部
１０２  読取装置制御部
１０４  入力部
１０６  表示部
１０８  通信部
１１０  記憶部
１５０  ＣＰＵ
１５２  ＲＯＭ
１５４  ＲＡＭ
１５６  内部バス
１５８  入出力インターフェース
１６０  入力装置
１６２  表示装置
１６４  ＨＤＤ
１６６  ネットワークインターフェース
３００  制御部
３０２  通信部
３０４  記憶部
３０６  帳票ＤＢ
３０８  委託者コードＤＢ
【図１】
2014137618.tif 000003
【図２】
2014137618.tif 000004
【図３】
2014137618.tif 000005
【図４】
2014137618.tif 000006
【図５】
2014137618.tif 000007
【図６】
2014137618.tif 000008
【図７】
2014137618.tif 000009
【図８】
2014137618.tif 000010
【図９】
2014137618.tif 000011
【図１０】
2014137618.tif 000012
【図１１】
2014137618.tif 000013
【図１２】
2014137618.tif 000014
【図１３】
2014137618.tif 000015
【図１４】
2014137618.tif 000016